(57)【要約】【課題】電源ボックスに配置される各種スイッチが不正に操作されてしまうことを確実に阻止することができるようにした遊技機を提供する。【解決手段】筐体内に、遊技機の電気部品へ電力を供給するための電源ボックス８を収納し、電源ボックス８の前面に設けられる操作面８ｂに、遊技の制御を設定するときに操作されるスイッチ８１、８２、８３を配置した遊技機において、電源ボックス８に、スイッチ８１、８２、８３を隠蔽する閉じ位置と、スイッチ８１、８２、８３を出現させる開き位置とに移動可能なカバー８４を設ける。【選択図】        図２
2005013509.tif 000002
【特許請求の範囲】
【請求項１】
筐体内に、遊技機の電気部品へ電力を供給するための電源ボックスを収納し、該電源ボックスの前面に設けられる操作面に、遊技の制御を設定するときに操作されるスイッチを配置した遊技機において、
前記電源ボックスに、前記スイッチを隠蔽する閉じ位置と、前記スイッチを出現させる開き位置とに移動可能なカバーを設けたことを特徴とする遊技機。
【請求項２】
カバーを、上下方向を向く軸線回りに回動可能に電源ボックスに枢支して閉じ位置と開き位置とに回動可能にするとともに、前記電源ボックスを筐体内に収容した状態において前記カバーの回転中心部は前記筐体の側部を形成する側板に対して近接する側に配置された請求項１記載の遊技機。
【請求項３】
カバーを、水平方向を向く軸線回りに回動可能に電源ボックスに枢支して閉じ位置と開き位置とに回動可能にするとともに、前記電源ボックスを筐体内に横長の姿勢で固定した請求項１記載の遊技機。
【発明の詳細な説明】
【０００１】
【発明の属する技術分野】
本発明は、パチンコ型スロットマシン（略称パチスロ）と称される回胴式遊技機、一般のスロットマシン、パチンコ等の遊技機に関し、特には、筐体内に、遊技機の電気部品へ電力を供給するための電源ボックスを収納し、電源ボックスの前面に設けられる操作面に、遊技の制御を設定するときに操作されるスイッチが配置された遊技機に関する。
【０００２】
【従来の技術】
従来、例えば、回胴式遊技機において、  遊技機の電機部品に電力を供給するための電源ボックスは、遊技の制御を設定するときに操作される各種設定スイッチが配置された操作面を前方へ向けた状態で、筐体内に収容されて所定の位置に固定される。これは、筐体の前面に開閉可能に枢支された前面カバーを開けた場合に、筐体内に固定された電源ボックスの各種設定スイッチを筐体の前側から簡単に操作できるようにするためである（例えば、特許文献１参照）。
【０００３】
【特許文献１】
特開２００１−１７０２４７号公報
【０００４】
【発明が解決しようとする課題】
しかし、上記の特許文献１に記載されたような従来技術のように、電源ボックスをその操作面が前方へ向くように筐体内に収容して固定した場合には、各種設定スイッチの操作性が良い反面、不正行為により各種設定スイッチ等が操作され、遊技店に不利益をもたらすおそれがある。すなわち、通常、遊技機の稼働中は、前面カバーが閉じられて各種設定スイッチ等が操作されることはないのであるが、不正行為をもって、針金等を前面カバーの隙間から筐体内に侵入させ、各種設定スイッチが操作される可能性がある。
【０００５】
本発明は、上述のような従来の課題を解決するためになされたもので、その目的は、電源ボックスに配置される各種スイッチが不正に操作されてしまうことを確実に阻止することができるようにした遊技機を提供することにある。
【０００６】
【課題を解決するための手段】
本発明によると、上記課題は、次のようにして解決される。
（１）筐体内に、遊技機の電気部品へ電力を供給するための電源ボックスを収納し、該電源ボックスの前面に設けられる操作面に、遊技の制御を設定するときに操作されるスイッチを配置した遊技機において、前記電源ボックスに、前記スイッチを隠蔽する閉じ位置と、前記スイッチを出現させる開き位置とに移動可能なカバーを設ける。
【０００７】
（２）上記（１）項において、カバーを、上下方向を向く軸線回りに回動可能に電源ボックスに枢支して閉じ位置と開き位置とに回動可能にするとともに、前記電源ボックスを筐体内に収容した状態において前記カバーの回転中心部は前記筐体の側部を形成する側板に対して近接する側に配置される。
【０００８】
（３）上記（１）項において、カバーを、水平方向を向く軸線回りに回動可能に電源ボックスに枢支して閉じ位置と開き位置とに回動可能にするとともに、前記電源ボックスを筐体内に横長の姿勢で固定する。
【０００９】
【発明の実施の形態】
以下、本発明の一実施形態を、図面に基づいて説明する。
図１は、本発明の一実施形態を適用した前面扉（３）を開けた状態の回胴式の遊技機（１）の斜視図、図２は、カバー（８４）を開けた状態の電源ボックス（８）の斜視図、図３は、電源ボックス（８）の正面図、図４は、図３におけるＡ−Ａ線に沿う拡大横断面図、図５は、カバー（８４）を開けた状態の図３におけるＡ−Ａ線に沿う拡大断面図である。
【００１０】
図１に示すように、遊技機（１）の筐体（２）の左端部には、上下方向を向く軸回りに回動可能な前面扉（３）が開閉可能に枢支されている。この前面扉（３）は、筐体（２）の前面を開閉するものであり、閉じた位置にあるときは、ロック機構（図示略）により筐体（２）側に係合して、所定のキー等を使用しない限り開けられないようになっている。筐体（２）は、上部を形成する天板（２１）と、側部を形成する左側の側板（２２）及び右側の側板（２３）と、底部を形成する底板（２４）と、後部を形成する後板（図示略）とから形成される。
【００１１】
筐体（２）内には、遊技機（１）の遊技を制御するための主基板（４）、外周面に複数種類の図柄が付記された円筒状の３個の回胴体（５ａ）（５ｂ）（５ｃ）により構成される可変表示装置（５）、遊技媒体であるメダルを貯留及び放出するホッパーユニット（６）、前面扉（３）の前面に設けられた液晶等により構成される演出表示装置（図示略）を主に制御するための副基板（７）、遊技機（１）の電気部品（例えば、主基板（４）、回胴体（５ａ）（５ｂ）（５ｃ）を回動させるステッピングモータ、ホッパーユニット（６）のモータ、副基板（７）、各種ランプ等）に電力を供給する電源ボックス（８）が収容されている。
【００１２】
前面扉（３）の前面には、メダルを投入可能なメダル投入口（図示略）、メダルをゲームに投資するときに操作されるベッドスイッチボタン（図示略）、可変表示装置（５）における回胴体（５ａ）（５ｂ）（５ｃ）の回転を開始させるときに操作されるスタートレバー（図示略）、回胴体（５ａ）（５ｂ）（５ｃ）の回転を停止させるときに操作されるストップスイッチボタン（図示略）等が配置されている。また、前面扉（３）の回胴体（５ａ）（５ｂ）（５ｃ）に対向する部分には、各回胴体（５ａ）（５ｂ）（５ｃ）の図柄を３コマずつ表示可能な透視窓（３１）が設けられている。
【００１３】
ホッパーユニット（６）は、メダルを貯留するホッパータンク（６１）と、モータ駆動によりホッパータンク（６１）に貯留されたメダルを１列に整列させて前面扉（３）の下部に設けられた払出口（３２）に放出するホッパー（６２）とを備え、筐体（２）の底板（２４）のほぼ中央に据え付けられる。なお、メダル投入口に投入されたメダルは、メダルの真偽等を判別するメダルセレクタ（９）を通過してホッパータンク（６１）に貯留される。
【００１４】
遊技機（１）の遊技は、遊技者がメダルをメダル投入口に所定枚数投入して、ベッドスイッチボタンを操作した後、スタートレバーを操作することによって、３個の回胴体（５ａ）（５ｂ）（５ｃ）がステッピングモータの駆動によって一斉に回転して、ゲームが開始される。そして、所定時間が経過した後、各回胴体（５ａ）（５ｂ）（５ｃ）に対応する各ストップスイッチボタンを順次操作して、各回胴体（５ａ）（５ｂ）（５ｃ）の回転を個別に停止させることによって、入賞有効ライン上に並ぶ各図柄の組み合わせにより、入賞の有無、及び賞の大小に応じたメダルの配当枚数が決定される。入賞した場合には、予め定めた入賞枚数分だけホッパーユニット（６）からメダルが払い出される。
【００１５】
電源ボックス（８）は、ホッパーユニット（６）と筐体（２）の左側の側板（２２）との間において、縦長の姿勢で底板（２４）に据え付けられるとともに、上部に設けられた取付片（８ａ）が左側の側板（２２）にねじにより固定される。
【００１６】
電源ボックス（８）の前面に設けられる操作面（８ｂ）には、図２に示すように、上から順に押しボタン式のリセットスイッチ（８１）、遊技店の係員が所持するキーをもって操作される設定キースイッチ（８２）、電源をオン・オフするときに操作される電源スイッチ（８３）が配置されている。
【００１７】
電源ボックス（８）は、遊技店の係員が前面扉（３）を開けた状態で、操作面（８ｂ）に配置された各スイッチ（８１）（８２）（８３）を操作し易いように、操作面（８ｂ）が前方へ向く姿勢で筐体（２）内に収容されて固定される。
【００１８】
設定キースイッチ（８２）は、遊技機（１）の入賞の発生確率を複数段階（一般的に６段階）に設定変更する際に操作するものであり、キーが差し込まれて所定の方向へ回動操作した状態で、リセットスイッチ（８１）の操作により、設定１から設定６に順次変更することができる。リセットスイッチ（８１）は、前述の設定変更、及び制御のエラーの復旧時に操作するものである。電源スイッチ（８３）は、遊技機（１）の電源をオン、オフするためのスイッチである。
【００１９】
電源ボックス（８）の操作面（８ｂ）には、上下方向を向く軸回りに開閉（揺動）可能な正面視矩形のカバー（８４）の左端部側（筐体（２）の左側の側板（２２）に対して近接する側）が枢支されている。すなわち、電源ボックス（８）を筐体（２）内に収容した状態において、カバー（８４）の回転中心部は筐体（２）の左側の側板（２２）に対して近接する側に配置される。
【００２０】
カバー（８４）は、図１、３及び図４に示すように、各スイッチ（８１）（８２）（８３）を隠蔽するように操作面（８ｂ）を閉じる閉じ位置と、図２及び図５に示すように、閉じ位置から前方へほぼ９０度回転して、操作面（８ｂ）及び各スイッチ（８１）（８２）（８３）を出現させる開き位置との間を回動可能である。
【００２１】
本実施形態においては、操作面（８ｂ）の左端部に設けられて後方へ凹んだ段差部（８ｃ）（図４及び図５に示す）に取付板（８６）を固定し、この取付板（８６）の上下２ヶ所に設けられた上下方向を向く軸部（８６ａ）（８６ａ）に、カバー（８４）の左端部に設けられた上下２ヶ所の溝部（８４ａ）（８４ａ）をそれぞれ嵌合させることによって、カバー（８４）は、電源ボックス（８）に開閉可能に枢支される。しかし、本発明は、これに限定されるものでなく、軸部（８６ａ）と溝部（８４ａ）とを反対にし、軸部（８６ａ）をカバー（８４）に、また溝部（８４ａ）を取付板（８６）にそれぞれ設けたり、または、別の蝶番によりカバー（８４）を電源ボックス（８）に枢支するようにしても良い。
【００２２】
カバー（８４）が閉じ位置にある場合には、カバー（８４）に固着された磁石（８５）が、操作面（８ｂ）または操作面（８ｂ）に設けられた鉄片に吸引されて、カバー（８４）は、閉じ位置に保持されるとともに、各スイッチ（８１）（８２）（８３）を隠蔽する。したがって、各スイッチ（８１）（８２）（８３）の操作は、カバー（８４）を開き位置に回動させて、各スイッチ（８１）（８２）（８３）を出現させない限り実質的に不可能となっている。
【００２３】
遊技店の係員が各スイッチ（８１）（８２）（８３）を操作する場合には、前面扉（３）を開けた状態で、電源ボックス（８）のカバー（８４）の上端に設けられた把持部（８４ｂ）を前方へ引くことにより、カバー（８４）は、上下の軸部（８６ａ）を中心にして前方へ回動し、開き位置に回動する。カバー（８４）が開き位置にある場合には、カバー（８４）が左側の側板（２２）に対して接近するように開くため、各スイッチ（８１）（８２）（８３）を操作するときの操作スペースが狭められることが無く、従来と同等な姿勢で各スイッチ（８１）（８２）（８３）を操作することができる。すなわち、例えば、カバー（８４）を配置面（８ｂ）の右端部（ホッパーユニット（６）に近接する側）に枢支した場合には、カバー（８４）を開き位置に回動させると、各スイッチ（８１）（８２）（８３）を操作するための操作スペースは、カバー（８４）と左側の側板（２２）との間の間隙となって狭まってしまい、各スイッチ（８１）（８２）（８３）の操作性が極めて悪くなる。
【００２４】
上述のように、本実施形態においては、電源ボックス（８）の操作面（８ｂ）に配置された各スイッチ（８１）（８２）（８３）を隠蔽したり出現させたりすることを可能とするカバー（８４）を電源ボックス（８）に設けたことにより、カバー（８４）が閉じ位置にある限り、遊技機（１）の遊技中に、不正行為により、針金等を前面扉（３）の隙間から遊技機（１）の内部に侵入させ、電源ボックス（６）の操作面（８ｂ）に配置された各スイッチ（８１）（８２）（８３）が遊技が有利になるように不正に操作されてしまうようなことを確実に阻止することができる。
【００２５】
以上、本発明の一実施形態について説明したが、本発明の要旨を逸脱しない範囲内で、本実施形態に対して、下記のような種々の変形や変更を施すことが可能である。
（ｉ）電源ボックス（８）のカバー（８４）を、前面扉（３）を開けた場合のみ開き位置に回動可能にすること。例えば、前面扉（３）の裏面（後面）側に、前面扉（３）が閉じた状態にあるとき、カバー（８４）の前面側に当接して、カバー（８４）の閉じ位置から開き位置への回動を阻止する阻止体（（図示略））を前面扉（３）に設ける。そして、前面扉（３）を開けることにより、カバー（８４）の開き位置への回動を可能にする。
（ｉｉ）前面扉（３）を閉じた状態で、カバー（８４）を開けたり、各スイッチ（８１）（８２）（８３）が操作された場合に、警報装置が鳴動するようにする。
（ｉｉｉ）一般のスロットマシン、パチンコ等の遊技機に適用する。
（ｉｖ）電源ボックス（８）を、図１に想像線で示すように、ホッパーユニット（６）の上方へ横長の姿勢で配置すること。具体的には、電源ボックス（８）を筐体（２）内に固定される棚（２５）の下面に横長の姿勢で固定する。そして、電源ボックス（８）の前面の操作面を開閉するカバー（８７）の上端部は、左右方向（水平方向）を向く軸（８８）により電源ボックス（８）の前面に枢着される。すなわち、カバー（８７）を、水平方向を向く軸線回りに回動可能に電源ボックス（８）に枢支して閉じ位置と開き位置とに回動可能にするとともに、電源ボックス（８）を筐体（２）内に横長の姿勢で固定する。この構造の場合においては、カバー（８７）を上方へ開いた状態で、電源ボックス（８）の操作面に設けられた各種スイッチを操作することが可能となる。各種スイッチの操作後は、上方へ開いたカバー（８７）を離すことにより、カバー（８７）は自重により自動的に閉じる。したがって、カバー（８７）の閉じ忘れを確実に防止することができ、不正行為をより確実に防止することができる。
【００２６】
【発明の効果】
本発明によれば、次のような効果を奏することができる。
（ａ）請求項１記載の発明によると、電源ボックスに、スイッチを隠蔽する閉じ位置とスイッチを出現させる開き位置とに移動可能なカバーを設けたことにより、スイッチが不正行為により操作されることを確実に阻止することができる。
【００２７】
（ｂ）請求項２記載の発明によると、請求項１に係わる発明の効果に加えて、カバーを開き位置に回動させることにより、スイッチを容易に操作することができる。
【００２８】
（ｃ）請求項３記載の発明によると、請求項１に係わる発明の効果に加えて、カバーの閉じ忘れを確実に防止することができる。
【図面の簡単な説明】
【図１】本発明の一実施形態を適用した前面扉を開けた状態の回胴式の遊技機の斜視図である。
【図２】カバーを開けた状態の電源ボックスの斜視図である。
【図３】電源ボックスの正面図である。
【図４】図３におけるＡ−Ａ線に沿う拡大横断面図である。
【図５】カバーを開けた状態の図３におけるＡ−Ａ線に沿う拡大断面図である。
【符号の説明】
（１）遊技機
（２）筐体
（２１）天板
（２２）（２３）側板
（２４）底板
（２５）棚板
（３）前面扉
（３１）透視窓
（３２）払出口
（４）主基板
（５）可変表示装置
（５ａ）（５ｂ）（５ｃ）回胴体
（６）ホッパーユニット
（６１）ホッパータンク
（６２）ホッパー
（７）副基板
（８）電源ボックス
（８ａ）取付片
（８ｂ）操作面
（８ｃ）段差部
（８１）リセットスイッチ
（８２）設定キースイッチ
（８３）電源スイッチ
（８４）カバー
（８４ａ）溝部
（８４ｂ）把持部
（８５）磁石
（８６）取付板
（８６ａ）軸部
（８７）カバー
（８８）軸
（９）メダルセレクタ
【図１】
2005013509.tif 000003
【図２】
2005013509.tif 000004
【図３】
2005013509.tif 000005
【図４】
2005013509.tif 000006
【図５】
2005013509.tif 000007